(57)【要約】      （修正有）【課題】十分な収納量を確保でき、且つ、重量物を収納した場合でも転倒するようなモーメントの発生が少なく、バランス調整も不要であり、着脱容易なランドセル取付用着脱式収納袋を提供する。【解決手段】ランドセル１０の本体側壁上端縁に引っ掛けて取り付ける一対のクリップ体１３０と、左右に保持ベルト１１４を有した収納袋本体１１０と、を備え、クリップ体１３０と保持ベルト１１４の先端が、締結部材によって着脱可能に構成されると共に、保持ベルト１１４の長さを、収納袋本体１１０を外部からランドセル１０の底面に当接して位置させた状態において、ランドセル１０の側面に沿ってクリップ体１３０にまで届く長さとする。【選択図】図６
0003215666.tif 000002
【実用新案登録請求の範囲】
【請求項１】
ランドセルの本体側壁の上端縁に引っ掛けて取り付ける一対のクリップ体と、
左右に保持ベルトを有した収納袋本体と、を備え、
前記２つのクリップ体と前記２つの保持ベルトの先端のそれぞれが、締結部材によって着脱可能に構成されると共に、
前記保持ベルトそれぞれの長さが、前記収納袋本体を外部からランドセル底面に当接して位置させた状態において、前記ランドセル側面に沿って前記クリップ体にまで届く長さとされている
ことを特徴とするランドセル取付用着脱式収納袋。
【請求項２】
請求項１において、
前記保持ベルトは前記収袋本体の底面に取り付けられ、且つ、当該保持ベルトそれぞれの長さが調整可能とされると共に、
前記収納袋本体は、前記ランドセルに取り付けた状態において上下方向に厚さ調整可能なマチを有する
ことを特徴とするランドセル取付用着脱式収納袋。
【請求項３】
ランドセルの本体側壁の上端縁に引っ掛けて取り付ける一対のクリップ体と、
前記ランドセルに取り付けた状態において上下方向に厚さ調整可能なマチを有した平面視略正方形の収納袋本体であって、当該収納袋本体の底面に取り付けられ且つ長さ調整可能な保持ベルトを左右に有する収納袋本体と、を備え、
前記２つのクリップ体と前記２つの保持ベルトの先端のそれぞれが、締結部材によって着脱可能に構成されると共に、
前記保持ベルトそれぞれの長さを、前記収納袋本体の天面を外部から前記ランドセル底面に当接して位置させた状態において、前記ランドセル側面に沿って前記クリップ体にまで届く長さとし、
更に、当該収納袋本体の少なくとも正面側の上端縁に当該上端縁に沿って当該収納袋本体を開閉するためのファスナが設けられ、
前記収納袋本体の前記天面を外部から前記ランドセル底面に当接するように取り付けた際、前記収納袋本体は前記ランドセルの左右方向に突出することなく底面側にのみ突出し、
更に、前記保持ベルトを調整することにより、前記収納袋本体を前記ランドセルに密着させると同時に収納量に応じて当該収納袋本体の容積を変化させ且つ収納物を前記ランドセル底面側に押さえ付けて保持することができる
ことを特徴とするランドセル取付用着脱式収納袋。
【考案の詳細な説明】
【技術分野】
【０００１】
本考案は、収納袋に関し、特に詳しくはランドセルに着脱自在に取り付ける収納袋に関する。
【背景技術】
【０００２】
従来から、ランドセルの収納量を補助する目的等で、ランドセルに取り付けて使用する収納袋に関するアイデアは多数存在する。
【０００３】
例えば、ランドセルのフラップ蓋を開いた状態で、ランドセル本体の正面側（背負いベルトの反対側）に取り付け、フラップ蓋を閉じて固定する収納袋（特許文献１を参照。）が知られている。更に、フラップ蓋の外側に取り付けるような収納袋も存在する。
【０００４】
また、出願人自身も、ランドセルの側面に板状のクリップを差込固定し、この板状クリップに面ファスナ等を用いて固定する収納袋（特許文献２を参照。）に関する発明をし、特許（特許第５７１３３７４号）を取得している。
【先行技術文献】
【特許文献】
【０００５】
【特許文献１】実用新案登録第３２０９８５２号公報
【特許文献２】特開２０１６−７４６３号公報
【考案の概要】
【考案が解決しようとする課題】
【０００６】
しかしながら、特許文献１に記載の収納袋は、フラップ蓋の内側に取り付けるため収納量が限定的で十分な量の収納を行うことができない。また、フラップ蓋の外側に取り付ければ、収納量の問題は解決可能であるものの、ランドセルを使用する子供の背中から相当程度離れた位置に固定されることになる。よって、同じ重さの荷物であっても、子供が仰向けに転倒する（ひっくり返る）方向に大きなモーメントが働くため、重量物の収納は望ましくない場合もある。
【０００７】
また、特許文献２に記載の収納袋は、ランドセルの側面に取り付けるので、ある程度の重量物を収納したい場合は、左右に取り付けてバランスを取るのが望ましいといった改善点もあった。
【０００８】
そこで本考案は、こういった問題点を解決するべくなされたものであって、十分な収納料を確保することができ、且つ、重量物を収納した場合でも転倒を助長するようなモーメントの発生が少なく、左右バランス調整も不要であり、着脱の容易なランドセル取付用着脱式収納袋を提供する事をその課題としている。
【課題を解決するための手段】
【０００９】
上記課題を解決するべく、本願考案は、ランドセルの本体側壁の上端縁に引っ掛けて取り付ける一対のクリップ体と、左右に保持ベルトを有した収納袋本体と、を備え、前記２つのクリップ体と前記２つの保持ベルトの先端のそれぞれが、締結部材によって着脱可能に構成されると共に、前記保持ベルトそれぞれの長さが、前記収納袋本体を外部からランドセル底面に当接して位置させた状態において、前記ランドセル側面に沿って前記クリップ体にまで届く長さとされていることを特徴とする。
【００１０】
このように、収納部分がランドセル下部に位置するので、重量物を収納した場合でも、転倒する方向のモーメントの発生が少なく、楽に背負うことが可能である。また、収納部分がランドセル下部に位置するので、使用者の左右方向や背面方向への飛び出しがなく、使用時において、周囲の建物等に引っ掛かる等の不具合も防止することが可能となっている。
【００１１】
また、前記保持ベルトを前記収袋本体の底面に取り付け、且つ、当該保持ベルトそれぞれの長さが調整可能とすると共に、前記収納袋本体は、前記ランドセルに取り付けた状態において上下方向に厚さ調整可能なマチを有するように構成してもよい。
【００１２】
このように構成すれば、収納量に応じて収納袋本体の容積を変えることができると共に、保持ベルトの長さを調整することによって、収納量に応じて収納物をランドセル底面側に押さえ付けて保持することが可能となる。即ち、収納袋本体内での収納物の揺れや移動を防止できるので、本考案にかかるランドセル取付用着脱式収納袋を取り付けた場合でも、安定的に且つ楽にランドセルを背負うことが可能となっている。
【考案の効果】
【００１３】
本考案を適用することで、十分な収納量を確保することができ、且つ、重量物を収納した場合でも転倒するようなモーメントの発生が少なく、バランス調整も不要であり、着脱の容易なランドセル取付用着脱式収納袋を提供することができる。
【図面の簡単な説明】
【００１４】
【図１】収納袋本体の平面図である。
【図２】収納袋本体の正面図である。
【図３】収納袋本体の斜視図であって、蓋を開けた状態図である。
【図４】（ａ）が、クリップ部の正面図、（ｂ）がクリップ部の側面図である。
【図５】ランドセルの本体側壁の上端縁に一対のクリップ体を取り付けた状態を示した図である。
【図６】本考案の実施形態の一例を示したランドセル取付用着脱式収納袋を、収納袋のマチを狭めてランドセルに取り付けた状態を示した斜視図である。
【図７】本考案の実施形態の一例を示したランドセル取付用着脱式収納袋を、収納袋のマチを広げてランドセルに取り付けた状態を示した正面図である。
【図８】本考案の実施形態の一例を示したランドセル取付用着脱式収納袋を、収納袋のマチを広げてランドセルに取り付けた状態を示した右側面図である。
【考案を実施するための形態】
【００１５】
以下、添付図面を参照しつつ、本考案の実施形態の一例であるランドセル取付用着脱式収納袋１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１６】
〈ランドセル取付用着脱式収納袋の構成〉
本考案の実施形態の一例として示すランドセル取付用着脱式収納袋１００は、左右に保持ベルト１１２、１１４を有した収納袋本体１１０（図１〜３参照）と、ランドセル１０の本体側壁の上端縁１２に引っ掛けて取り付ける一対のクリップ体１３０（図４参照）を主たる構成要素としてなる。
【００１７】
収容袋本体１１０は、本実施形態においては、平面視略正方形に形成され、上下方向に伸縮できるマチ（Ｈ）を備えた布製の袋として構成される。平面視略正方形となっている上端縁の三辺（正面及び左右）にはファスナ１２０が設けられており、収納物を出し入れするために開閉可能とされている（図３参照）。
【００１８】
収納袋本体１１０の底面１１０ｂから左右に飛び出すように、保持ベルト１１２、１１４が縫い付けられている。また、この保持ベルト１１２、１１４には、使用時の安定性及び保持ベルトの捻れ対策としてそれぞれ幅広シート１１２ａ、１１４ａが併せて縫い付けられている。また、保持ベルト１１２、１１４の先端には、それぞれ樹脂製の雄型バックル１１６、１１８が取り付けられる。更に、保持ベルト１１２，１１４にはベルト長さ調整部１１２ｂ、１１４ｂが設けられている。なお、雄型バックル１１６、１１８は後述する雌型バックル１３６と併せて連結部材を構成する。
【００１９】
クリップ体１３０は、ランドセル１０の本体側壁上端縁１２に引っ掛けるための引掛部１３２と、連結バンド１３４を介して接続された雌型バックル１３６とを有してなる。なお、クリップ体１３０は２つで１セット（一対）として使用される。ランドセル１０の左右の本体側壁上端縁１２にそれぞれ引っ掛けるようにして取り付けて使用される（図５参照）。
【００２０】
〈ランドセル取付用着脱式収納袋の作用・機能〉
本考案の実施形態の一例として示したランドセル取付用着脱式収納袋１００を使用する際は、先ず、ランドセル１０のフラップ蓋１４を開けた状態で、ランドセル１０の左右の本体側壁上端縁１２に、それぞれクリップ体１３０を引っ掛けるようにして取り付ける。
【００２１】
その上で、一方の保持ベルト１１２の先端に備わる雄型バックル１１６を、一方のクリップ体１３０の雌型バックル１３４に押し込み接続する。その後、ランドセル底面側からグルッと反対のクリップ体１３０側へ取り回すようにし（即ち、収納袋本体１１０がランドセル底面に当接するように取り回す。）、他方の保持ベルト１１４の先端に備わる雄型バックル１１８を他方のクリップ体１３０の雌型バックル１３４に押し込み接続する。
【００２２】
最後に、保持ベルト１１２，１１４に設けられたベルト長さ調整部１１２ｂ、１１４ｂを調整して、収納袋本体１１０がランドセル１０の底面側にしっかりと密着するように調整する。この作業で取付が完了する。
【００２３】
なお、収納袋本体１１０への収納物の収納は、上記取り付け前に完了しておくのが望ましいが、取り付け後であっても、ベルト長さ調整部１１２ｂ、１１４ｂを調整することによって、取り付けたままでも可能となる。即ち、例えば、ベルトを少し緩めれば、収納袋本体１１０をランドセル正面側（若しく背面側）に引き出せるようになるので、引き出した状態でファスナ１２０を開けて収納すればよい。
【００２４】
上記構成で説明した通り、本願考案は、ランドセル１０の本体収納部側壁の上端縁１２に引っ掛けて取り付ける一対のクリップ体１３０と、左右に保持ベルト１１２、１１４を有した収納袋本体１１０と、を備え、２つのクリップ体１３０と２つの保持ベルト１１２、１１４の先端のそれぞれが、締結部材（雄雌バックル）によって着脱可能に構成されると共に、保持ベルト１１２、１１４それぞれの長さが、収納袋本体１１０を外部からランドセル１０の底面に当接して位置させた状態において、ランドセル１０の側面に沿ってクリップ体１３０にまで届く長さとされている。
【００２５】
その結果、収納部分（収納袋本体１１０）がランドセル１０の下部に位置するので、重量物を収納した場合でも、転倒する方向のモーメントの発生が少なく、楽に背負うことが可能となっている。また、収納部分がランドセル１０の下部に位置するので、使用者の左右方向や背面方向への飛び出しがなく、使用時において、周囲の建物等に引っ掛かる等の不具合も防止することが可能となっている。
【００２６】
また、保持ベルト１１２、１１４を収納袋本体１１０の底面１１０ｂに取り付け、且つ、当該保持ベルト１１２、１１４それぞれの長さが調整可能とすると共に、収納袋本体１１０は、ランドセル１０に取り付けた状態において上下方向に厚さ調整可能なマチ（Ｈ）を有していた。
【００２７】
このように構成したことによって、収納量に応じて収納袋本体１１０の容積を変えることができると共に、保持ベルト１１２、１１４の長さを調整することによって、収納量に応じて収納物をランドセル１０の底面側に押さえ付けて保持することが可能となる。即ち、収納袋本体内での収納物の揺れや移動を防止できるので、本考案にかかるランドセル取付用着脱式収納袋１００を取り付けた場合でも、安定的に且つ楽にランドセル１０を背負うことが可能となっている。
【００２８】
〈その他の構成例〉
なお、上記では連結部材として雄雌嵌合のバックルで構成していたが、着脱できる限りにおいて上記以外の構成を採用することも可能である。
【符号の説明】
【００２９】
１０・・・ランドセル
１２・・・ランドセル本体側壁上縁部
１４・・・フラップ蓋
１００・・・ランドセル取付用着脱式収納袋
１１０・・・収納袋本体
１１０ｂ・・・収納袋本体底面
１１２、１１４・・・保持ベルト
１１２ａ、１１４ａ・・・幅広シート
１１２ｂ、１１４ｂ・・・ベルト長さ調整部
１１６、１１８・・・雄型バックル
１３０・・・クリップ体
１３２・・・引掛部
１３４・・・連結ベルト
１３６・・・雌型バックル
【図１】
0003215666.tif 000003
【図２】
0003215666.tif 000004
【図３】
0003215666.tif 000005
【図４】
0003215666.tif 000006
【図５】
0003215666.tif 000007
【図６】
0003215666.tif 000008
【図７】
0003215666.tif 000009
【図８】
0003215666.tif 000010